(57)【要約】【課題】染色作業や脱色作業その他の処理液の塗布作業を頭髪に対して行う場合に、処理液を頭髪の根元にも届きやすくするための頭髪保持具を提供する。【解決手段】頭髪保持具１は、凹凸部は、弾性フレーム３の軸方向に沿って各櫛歯５を見たときに、弾性フレーム３から円弧の内側に向かって並ぶ凹凸を形成している。頭髪保持具１で髪を掻き上げると、各櫛歯５の間に髪を束ねながら掻き上げることができ、しかも、凹凸部が上述のように並んでいるので、凹凸部に一定量ずつ上下に細かく束ねながら掻き上げることができる。したがって、この頭髪保持具１を用いると、染色作業や脱色作業その他の処理液の塗布作業を頭髪に対して行う場合に、頭髪の根元にも処理液を簡単に塗布することができる。【選択図】  図１
2016214786.tif 000002
【特許請求の範囲】
【請求項１】
頭髪を保持する頭髪保持具であって、
円弧状に形成された弾性フレームと、
前記弾性フレームが形成する円弧の内側に向かって前記弾性フレームから延設され、前記円弧に沿って並べられた複数の櫛歯と、
を備え、
前記櫛歯は、
隣りの前記櫛歯に対向する各前記櫛歯の表面に形成された凹凸部であって、前記弾性フレームの軸方向に沿って各前記櫛歯を見たときに、前記弾性フレームから前記円弧の内側に向かって並ぶ凹凸を形成する凹凸部を有する、
ことを特徴とする頭髪保持具。
【請求項２】
請求項１に記載の頭髪保持具において、
前記凹凸部は、
前記櫛歯に複数の突起を設けることによって形成されていることを特徴とする頭髪保持具。
【請求項３】
請求項１に記載の頭髪保持具において、
各前記櫛歯は、
前記弾性フレームから延設され、前記弾性フレームの軸方向の一方の側に膨らんで折返し、前記弾性フレームを横切って、各前記櫛歯の遊端が前記弾性フレームよりも前記軸方向の他方の側に位置する形状に形成され、
各前記櫛歯の前記遊端は、
尖塔形状に形成されていることを特徴とする頭髪保持具。
【請求項４】
請求項１〜３のいずれか１項に記載の頭髪保持具において、
前記円弧に沿った前記櫛歯の幅と前記櫛歯が設置される間隔とを比べた場合、各前記櫛歯の幅よりも、各前記櫛歯が設置される間隔の方が狭くなるように形成したことを特徴とする頭髪保持具。
【請求項５】
請求項１〜４のいずれか１項に記載の頭髪保持具において、
各前記櫛歯は、
前記弾性フレームから延設され、前記円弧に沿った方向に所定間隔離れて設置され、遊端側で接合された２本の弾性支柱部を備え、
前記弾性支柱部に前記凹凸部が形成されていることを特徴とする頭髪保持具。
【発明の詳細な説明】
【技術分野】
【０００１】
本発明は、頭髪を保持する頭髪保持具に関する。
【背景技術】
【０００２】
現在、頭髪の染色作業や脱色作業を家庭で行うための様々なグッズが販売されている。
このようなグッズの一例として、カチューシャと呼ばれる頭髪保持具がある。カチューシャを用いると、頭髪を掻き上げて一定量ずつ束ねることができるので、束ねた髪の隙間から頭髪の所望の部分に処理液を集中的に塗布することができる。（例えば、特許文献１参照）。
【先行技術文献】
【特許文献】
【０００３】
【特許文献１】登録実用新案第３１６２０９８号公報
【発明の概要】
【発明が解決しようとする課題】
【０００４】
しかし、カチューシャで頭髪を掻き上げても、下方（頭皮に近い側）に束ねられた髪、特に髪の根元部分には、上方（頭皮から離れた側）に髪が重なってしまうため処理液が届きにくかった。
【０００５】
そこで、本発明では、染色作業や脱色作業その他の処理液の塗布作業を頭髪に対して行う場合に、処理液を髪の根元部分にも届きやすくするための頭髪保持具を提供する。
【課題を解決するための手段】
【０００６】
請求項１に記載の頭髪保持具は、円弧状に形成された弾性フレームと、前記弾性フレームが形成する円弧の内側に向かって前記弾性フレームから延設され、前記円弧に沿って並べられた複数の櫛歯と、を備え、前記櫛歯は、隣りの前記櫛歯に対向する各前記櫛歯の表面に形成された凹凸部であって、前記弾性フレームの軸方向に沿って各前記櫛歯を見たときに、前記弾性フレームから前記円弧の内側に向かって並ぶ凹凸を形成する凹凸部を有する。
【０００７】
この頭髪保持具で髪を掻き上げると、各櫛歯が、髪を左右（頭皮に沿った方向）に掻き分けるとともに隣り合う櫛歯との間に髪を束ねながら掻き上げ、しかも、凹凸部が、櫛歯に束ねられた髪を、頭皮から見て上下（頭皮に垂直な方向）に一定量ずつ細かく束ねる。
【０００８】
そのため、この頭髪保持具で髪を掻き上げると、髪の根元部分が視認できる状態となる。また、この頭髪保持具で頭髪を掻き上げると、上方の凹凸部に引っ掛けれた髪が、掻き上げた後に下方に落ちることが抑制されるので、掻き上げ時の状態を長期間維持することができる。
【０００９】
したがって、この頭髪保持具を用いると、染色作業や脱色作業その他の処理液の塗布作業を頭髪に対して行う場合に、頭髪の根元部分にも処理液を簡単に塗布することができる。
【００１０】
請求項２に記載したように、凹凸部は、櫛歯に複数の突起を設けることによって形成してもよい。
請求項３に記載したように、各櫛歯は、弾性フレームから延設され、弾性フレームの軸方向の一方の側に膨らんで折返し、弾性フレームを横切って、各櫛歯の遊端が弾性フレームよりも軸方向の他方の側に位置する形状に形成されていてもよい。また、各櫛歯の遊端は、尖塔形状に形成されていてもよい。
【００１１】
このような櫛歯を用いると、髪の毛を引っ掛けないように髪を掻き分けながら掻き上げるので、髪が痛まないように各櫛歯の間に髪の毛を束ねることができる。
請求項４に記載したように、円弧に沿った櫛歯の幅と櫛歯が設置される間隔とを比べた場合、各櫛歯の幅よりも、各櫛歯が設置される間隔（隣り合う櫛歯と櫛歯との間の間隔）の方が狭くなるように形成してもよい。このようにすると、多くの髪が狭い櫛歯の間に束ねられるので、櫛歯の間に束ねられた髪が崩れにくくなる。そのため、この頭髪保持具を用いると、染色作業や脱色作業その他の処理液の塗布作業を頭髪に対して行う場合に、頭髪の根元にも処理液をより簡単に塗布することができる。
【００１２】
請求項５に記載したように、各櫛歯は、弾性フレームから延設され、円弧に沿った方向に所定間隔離れて設置され、遊端側で接合された２本の弾性支柱部を備えていてもよい。そして、凹凸部は弾性支柱部に形成されていてもよい。
【００１３】
このようにすると、弾性支柱部の弾性力によって各櫛歯の間に多くの髪をしっかりと束ねることができる。そのため、この頭髪保持具を用いると、染色作業や脱色作業その他の処理液の塗布作業を頭髪に対して行う場合に、頭髪の根元にも処理液をより簡単に塗布することができる。
【図面の簡単な説明】
【００１４】
【図１】実施形態の頭髪保持具の説明図で、図１Ａは正面図、図１Ｂは背面図、図１Ｃは左側面図、図１Ｄは右側面図、図１Ｅは平面図、図１Ｆは底面図である。
【図２】実施形態の頭髪保持具を用いて頭髪を掻き上げた様子を示す図である。
【発明を実施するための形態】
【００１５】
以下に本発明の例示的な実施形態について図面を参照しながら説明する。
本実施形態の頭髪保持具は、掻き上げた頭髪を保持する保持具である。この頭髪保持具１は、図１Ａ〜図１Ｆに示すように、主に、弾性フレーム３、複数の櫛歯５とを備えている。尚、図１Ａ〜図１Ｆでは、頭髪保持具１が、櫛歯５のように、実質的に同一形状に形成された複数の構成を備える場合、作図の都合により代表の数個の構成に符号を付し、その他の構成については符号を省略した。
【００１６】
弾性フレーム３は、弾性を有する材料（具体的には、ポリプロピレン６０％、ポリエチレン４０％からなる材料）を用いて、円弧状に形成されている。この弾性フレーム３は、円弧の軸方向に沿った所定の幅を有しており、各櫛歯５は、弾性フレーム３の幅方向の一端側から突設されている。また、弾性フレーム３は、幅方向の中央が、幅方向の両端に比べて外側に盛り上がった形状に形成されている。
【００１７】
各櫛歯５は、弾性フレーム３と射出成形などにより同一材料で一体に形成されている。各櫛歯５は、弾性フレーム３が形成する円弧の内側に向かって弾性フレーム３から延設されており、具体的には、図１Ｃ〜図１Ｆに示すように、弾性フレーム３の軸方向の一方の側に膨らんで折返し、弾性フレーム３が形成する円弧の内側で弾性フレーム３を横切って、各櫛歯５の遊端が弾性フレーム３よりも軸方向の他方の側に位置する形状に形成されている。
【００１８】
また、各櫛歯５のうち折り返される部分は、弾性フレーム３が形成する円弧に沿って所定間隔離して設置された２本の弾性支柱部５０によって構成され、各弾性支柱部５０の外側部分の表面には（隣りあう櫛歯５に対向する部分の表面）、複数の突起５２が形成されている。
【００１９】
この突起５２が形成されることによって、図１Ａ及び図１Ｂに示すように、各櫛歯５には、弾性フレーム３の軸方向に沿って各櫛歯５を見たときに、弾性フレーム３から円弧の内側に向かって略等間隔に並ぶ凹凸が形成される。すなわち、突起５２は、頭皮に近い側を下方、弾性フレーム３側を上方とした場合、弾性フレーム３の軸方向に沿って各櫛歯５を見たときに、上下に並ぶように配置されて凹凸を形成する。以下、この突起５２によって凹凸が形成された部分を必要に応じ凹凸部とよぶ。
【００２０】
また、支柱部５０で構成された部分より先の部分であって、各櫛歯５の遊端部分は、図１Ｃ〜図１Ｆに示すように、尖塔形状に形成されている。
また、櫛歯５は、図１Ａ及び図１Ｂに示すように、弾性フレーム３が形成する円弧に沿って等間隔に設置されるが、円弧に沿った櫛歯５の幅よりも、櫛歯５が設置される間隔の方が狭くなるように設置される。
【００２１】
以上のように構成された頭髪保持具１を用いると以下のような特徴的な作用効果を奏する。
本実施形態の頭髪保持具１は、櫛歯５が突起５２で形成された凹凸部を有し、凹凸部は、弾性フレーム３の軸方向に沿って各櫛歯５を見たときに、弾性フレーム３から円弧の内側に向かって並ぶ凹凸を形成している。
【００２２】
この頭髪保持具１で髪を掻き上げると、各櫛歯５が、髪を左右（頭皮に沿った方向）に掻き分けるとともに隣り合う櫛歯５との間に髪を束ねながら掻き上げ、しかも、突起５２が、櫛歯５に束ねられた髪を、頭皮から見て上下（頭皮に垂直な方向）に一定量ずつ細かく束ねる。
【００２３】
そのため、この頭髪保持具１で髪を掻き上げると、図２に示すように、頭髪の根元部分が視認できる状態となる。また、この頭髪保持具１で頭髪を掻き上げると、上方の突起５２に引っ掛けれた髪が、掻き上げた後に下方に落ちることが抑制されるので、掻き上げ時の状態を長期間維持することができる。
【００２４】
したがって、この頭髪保持具１を用いると、染色作業や脱色作業その他の処理液の塗布作業を頭髪に対して行う場合に、頭髪の根元にも処理液を簡単に塗布することができる。
また、本実施形態の頭髪保持具１は、各櫛歯５が、弾性フレーム３から延設され、弾性フレーム３の軸方向の一方の側に膨らんで折返し、弾性フレーム３を横切って、各櫛歯５の遊端が弾性フレーム３よりも軸方向の他方の側に位置する形状に形成されている。また、各櫛歯５の遊端は、尖塔形状に形成されている。
【００２５】
そのため、このように形成された櫛歯５を用いると、髪の毛を引っ掛けないように髪を掻き分けながら掻き上げるので、髪が痛まないように各櫛歯５の間に髪の毛を束ねることができる。
【００２６】
また、本実施形態の頭髪保持具１は、円弧に沿った櫛歯５の幅と櫛歯５が設置される間隔とを比べた場合、各櫛歯５の幅よりも、各櫛歯５が設置される間隔の方が狭くなるように形成されており、髪を掻き上げるとき、多くの髪が狭い櫛歯５の間に束ねられるので、櫛歯の間に束ねられた髪が崩れにくくなる。そのため、この頭髪保持具を用いると、染色作業や脱色作業その他の処理液の塗布作業を頭髪に対して行う場合に、頭髪の根元にも処理液をより簡単に塗布することができる。
【００２７】
また、本実地形態の頭髪保持具１を構成する櫛歯５は、弾性フレーム３から延設され、円弧に沿った方向に所定間隔離れて設置され、遊端側で接合された２本の弾性支柱部５０を備えている。そして、弾性支柱部５０には凹凸部が形成されている。
【００２８】
このようにすると、弾性支柱部５０の弾性力によって各櫛歯５の間に多くの髪をしっかりと束ねることができる。そのため、この頭髪保持具１を用いると、染色作業や脱色作業その他の処理液の塗布作業を頭髪に対して行う場合に、頭髪の根元にも処理液をより簡単に塗布することができる。
［他の実施形態］
以上、実施形態について説明したが、特許請求の範囲に記載された発明は、上記実施形態に限定されることなく、種々の形態を採り得ることは言うまでもない。
【００２９】
（１）上記実施形態では、弾性フレーム３及び櫛歯５を構成する材料として、ポリプロピレン６０％、ポリエチレン４０％からなる材料を例示したが、材料の種類も配合もこれらに限られない。
【００３０】
（２）上記実施形態では、凹凸部を５２で構成したが、支柱部５０に凹みを設けて凹凸部を形成してもよい。
（３）本発明の各構成要素は概念的なものであり、上記実施形態に限定されない。例えば、１つの構成要素が有する機能を複数の構成要素に分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の少なくとも一部を、他の上記実施形態の構成に対して付加、置換等してもよい。
【符号の説明】
【００３１】
１… 頭髪保持具  ３… 弾性フレーム  ５… 櫛歯  ５０… 弾性支柱部
５２… 突起
【図１】
2016214786.tif 000003
【図２】
2016214786.tif 000004